(57)【特許請求の範囲】
【請求項１】
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させる取得制御部と、
取得された前記再生条件情報が示す再生条件を満たすかを判定する判定部と、
前記再生条件を満たすと判定された場合に、取得された前記チャンネル識別情報が示すチャンネルにより受信された前記コンテンツ信号を、取得された前記鍵情報を用いて復号して再生させる再生制御部と、
を備え、
前記再生条件は、前記チャンネル識別情報が示すチャンネルにより放送される信号の受信状態に関する条件を含み、
前記判定部は、前記チャンネル識別情報が示すチャンネルにより放送される信号の受信状態に基づいて前記受信状態に関する条件を満たすか否かを判定し、前記受信状態に関する条件の判定結果に基づいて前記再生条件を満たすかを判定する、再生制御装置。
【請求項２】
前記判定部は、
前記チャンネル識別情報が示すチャンネルにより放送される信号が受信されている場合に、前記受信状態に関する条件を満たすと判定し、
前記チャンネル識別情報が示すチャンネルにより放送される信号が受信されない場合には、前記受信状態に関する条件を満たさないと判定する、請求項１に記載の再生制御装置。
【請求項３】
前記判定部は、前記受信状態に関する条件を満たすと判定した後に、前記受信状態に関する条件を満たさないと判定した場合には、
満たさないと判定した判定に用いた前記再生条件情報が示す再生条件による、新たな判定を行わず、
前記再生条件情報が新たに取得されたときに、新たに取得された前記再生条件情報が示す再生条件を満たすかを判定する、請求項２に記載の再生制御装置。
【請求項４】
前記再生条件は、前記チャンネル識別情報が示すチャンネルにより放送されるコンテンツ信号の再生が許可される期間に関する条件を含み、
前記判定部は、前記再生が許可される期間に関する条件を満たすか否かを判定し、前記再生が許可される期間に関する条件の判定結果に基づいて前記再生条件を満たすかを判定する、請求項１〜３のいずれか１項に記載の再生制御装置。
【請求項５】
前記再生条件は、前記鍵情報の使用が許可される前記鍵情報の有効期間に関する条件を含み、
前記判定部は、前記鍵情報の有効期間に関する条件を満たすか否かを判定し、前記鍵情報の有効期間に関する条件の判定結果に基づいて前記再生条件を満たすかを判定する、請求項１〜４のいずれか１項に記載の再生制御装置。
【請求項６】
前記判定部は、前記鍵情報の有効期間に関する条件を満たさないと判定した場合、前記鍵情報を削除する、請求項５に記載の再生制御装置。
【請求項７】
前記再生条件は、前記チャンネル識別情報が示すチャンネルにより放送されるコンテンツ信号の再生が許可される位置に関する条件を含み、
前記判定部は、前記位置に関する条件を満たすか否かを判定し、前記位置に関する条件の判定結果に基づいて前記再生条件を満たすかを判定する、請求項１〜６のいずれか１項に記載の再生制御装置。
【請求項８】
前記再生条件は、前記チャンネル識別情報が示すチャンネルにより放送されるコンテンツ信号の再生が許可される再生回数に関する条件を含み、
前記判定部は、前記コンテンツ信号が再生された回数が前記再生回数に関する条件を満たすか否かを判定し、前記再生回数に関する条件の判定結果に基づいて前記再生条件を満たすかを判定する、請求項１〜７のいずれか１項に記載の再生制御装置。
【請求項９】
前記再生条件は、前記鍵情報の使用が許可される前記鍵情報の有効回数に関する条件を含み、
前記判定部は、前記鍵情報の使用回数が前記鍵情報の有効回数に関する条件を満たすか否かを判定し、前記鍵情報の有効回数に関する条件の判定結果に基づいて前記再生条件を満たすかを判定する、請求項１〜８のいずれか１項に記載の再生制御装置。
【請求項１０】
前記判定部は、前記鍵情報の有効回数に関する条件を満たさないと判定した場合、前記鍵情報を削除する、請求項９に記載の再生制御装置。
【請求項１１】
前記再生条件は、前記チャンネル識別情報が示すチャンネルにより放送されるコンテンツ信号の再生が許可されるユーザに関する条件を含み、
前記判定部は、前記再生制御装置と前記再生制御装置のユーザとのうちの少なくとも一方を示すユーザ識別情報に基づいて、前記ユーザに関する条件を満たすか否かを判定し、前記ユーザに関する条件の判定結果に基づいて前記再生条件を満たすかを判定する、請求項１〜１０のいずれか１項に記載の再生制御装置。
【請求項１２】
前記再生制御部は、
前記再生制御装置と前記再生制御装置のユーザとのうちの少なくとも一方を示すユーザ識別情報に基づいて、取得された前記チャンネル識別情報が示すチャンネルにより受信された前記コンテンツ信号の再生の仕方を設定し、
設定された再生の仕方によって、前記コンテンツ信号を再生させる、請求項１〜１１のいずれか１項に記載の再生制御装置。
【請求項１３】
前記チャンネル識別情報が示すチャンネルにより放送されるコンテンツ信号は、前記再生に関する情報に含まれる第１の鍵情報と、前記第１の鍵情報とは異なる第２の鍵情報とに対応して暗号化され、
前記再生制御部は、取得された前記チャンネル識別情報が示すチャンネルにより受信された前記コンテンツ信号を、取得された前記第１の鍵情報と、記録媒体に記憶されている前記第２の鍵情報とを用いて復号して再生させる、請求項１〜１２のいずれか１項に記載の再生制御装置。
【請求項１４】
前記第２の鍵情報は、前記記録媒体に予め記憶されている鍵情報、または、前記外部オブジェクトとは異なる外部装置から取得されて前記記録媒体に記録された鍵情報である、請求項１３に記載の再生制御装置。
【請求項１５】
前記再生に関する情報には、前記チャンネル識別情報が示すチャンネルにより放送される前記コンテンツ信号の再生に用いることが可能な再生アプリケーションの取得先を示す取得先情報が、さらに含まれ、
前記再生制御部は、
受信された前記コンテンツ信号の再生を行うことが可能なアプリケーションが記録媒体に存在しない場合には、前記取得先情報が示す取得先から前記再生アプリケーションを取得させ、
取得された前記再生アプリケーションを用いて、受信された前記コンテンツ信号を再生させる、請求項１〜１４のいずれか１項に記載の再生制御装置。
【請求項１６】
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させる取得制御部と、
取得された前記再生条件情報が示す再生条件を満たすかを判定する判定部と、
前記再生条件を満たすと判定された場合に、取得された前記チャンネル識別情報が示すチャンネルにより受信された前記コンテンツ信号を、取得された前記鍵情報を用いて復号して再生させる再生制御部と、
を備え、
前記再生に関する情報には、前記外部オブジェクトを一意に示すオブジェクト識別情報がさらに含まれ、
前記取得制御部は、取得されたオブジェクト識別情報を、記録媒体に記憶させ、
前記再生条件は、複数の前記オブジェクト識別情報の組み合わせに関する条件を含み、
前記判定部は、取得された前記オブジェクト識別情報と、前記記録媒体に記憶されている前記オブジェクト識別情報とに基づいて前記組み合わせに関する条件を満たすか否かを判定し、前記組み合わせに関する条件の判定結果に基づいて前記再生条件を満たすかを判定する、再生制御装置。
【請求項１７】
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させるステップと、
取得された前記再生条件情報が示す再生条件を満たすかを判定するステップと、
前記再生条件を満たすと判定された場合に、取得された前記チャンネル識別情報が示すチャンネルにより受信された前記コンテンツ信号を、取得された前記鍵情報を用いて復号して再生させるステップと、
を有し、
前記再生条件は、前記チャンネル識別情報が示すチャンネルにより放送される信号の受信状態に関する条件を含み、
前記判定するステップでは、前記チャンネル識別情報が示すチャンネルにより放送される信号の受信状態に基づいて前記受信状態に関する条件を満たすか否かが判定され、前記受信状態に関する条件の判定結果に基づいて前記再生条件を満たすかが判定される、再生制御装置により実行される再生制御方法。
【請求項１８】
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させるステップと、
取得された前記再生条件情報が示す再生条件を満たすかを判定するステップと、
前記再生条件を満たすと判定された場合に、取得された前記チャンネル識別情報が示すチャンネルにより受信された前記コンテンツ信号を、取得された前記鍵情報を用いて復号して再生させるステップと、
を有し、
前記再生に関する情報には、前記外部オブジェクトを一意に示すオブジェクト識別情報がさらに含まれ、
前記取得させるステップでは、取得されたオブジェクト識別情報が、記録媒体に記憶させ、
前記再生条件は、複数の前記オブジェクト識別情報の組み合わせに関する条件を含み、
前記判定するステップでは、取得された前記オブジェクト識別情報と、前記記録媒体に記憶されている前記オブジェクト識別情報とに基づいて前記組み合わせに関する条件を満たすか否かが判定され、前記組み合わせに関する条件の判定結果に基づいて前記再生条件を満たすかが判定される、再生制御装置により実行される再生制御方法。
【請求項１９】
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させるステップ、
取得された前記再生条件情報が示す再生条件を満たすかを判定するステップ、
前記再生条件を満たすと判定された場合に、取得された前記チャンネル識別情報が示すチャンネルにより受信された前記コンテンツ信号を、取得された前記鍵情報を用いて復号して再生させるステップ、
をコンピュータに実行させ、
前記再生条件は、前記チャンネル識別情報が示すチャンネルにより放送される信号の受信状態に関する条件を含み、
前記判定するステップでは、前記チャンネル識別情報が示すチャンネルにより放送される信号の受信状態に基づいて前記受信状態に関する条件を満たすか否かが判定され、前記受信状態に関する条件の判定結果に基づいて前記再生条件を満たすかが判定される、プログラム。
【発明の詳細な説明】
【技術分野】
【０００１】
本開示は、再生制御装置、再生制御方法、およびプログラムに関する。
【背景技術】
【０００２】
例えば、外部から取得された情報に基づいて、所定のチャンネルで放送されている、暗号化されたコンテンツ信号を復調する技術が開発されている。上記暗号化されたコンテンツ信号を復調する技術としては、例えば、下記の特許文献１に記載の技術が挙げられる。
【先行技術文献】
【特許文献】
【０００３】
【特許文献１】特開２０１０−２６８０９１号公報
【発明の概要】
【発明が解決しようとする課題】
【０００４】
例えば、電磁波や有線などによりコンテンツ信号が放送される場合、当該コンテンツ信号は、所定のチャンネル（伝送路）により送信される。コンテンツ信号を再生することが可能な装置は、上記所定のチャンネルにより受信されたコンテンツ信号に対して、デコードなどの再生に係る処理を行うことによって、コンテンツ信号を再生させる。【０００５】
ここで、例えば上記のようにコンテンツ信号が放送されるときには、例えば、コンテンツ信号を再生可能な装置のうち、特定の場所（または領域）にある装置や、特定の装置に対してのみ、所定のチャンネルにより放送されたコンテンツ信号の再生を許可したい場合が、ありうる。しかしながら、例えば上記のような場合における、所定のチャンネルにより放送されたコンテンツ信号の再生を制限する方法は、ない。【０００６】
本開示では、所定のチャンネルにより放送されるコンテンツ信号の再生を制御することが可能な、新規かつ改良された再生制御装置、再生制御方法、およびプログラムを提案する。
【課題を解決するための手段】
【０００７】
本開示によれば、暗号化されたコンテンツ信号が放送されるチャンネルを示すチャンネル識別情報と、上記コンテンツ信号を再生するための条件である再生条件を示す再生条件情報と、上記コンテンツ信号を復号するための鍵情報とを含む、コンテンツ信号の再生に関する情報を、外部オブジェクトから取得させる取得制御部と、取得された上記再生条件情報が示す再生条件を満たすかを判定する判定部と、上記再生条件を満たすと判定された場合に、取得された上記チャンネル識別情報が示すチャンネルにより受信された上記コンテンツ信号を、取得された上記鍵情報を用いて復号して再生させる再生制御部と、を備える、再生制御装置が提供される。【０００８】
また、本開示によれば、暗号化されたコンテンツ信号が放送されるチャンネルを示すチャンネル識別情報と、上記コンテンツ信号を再生するための条件である再生条件を示す再生条件情報と、上記コンテンツ信号を復号するための鍵情報とを含む、コンテンツ信号の再生に関する情報を、外部オブジェクトから取得させるステップと、取得された上記再生条件情報が示す再生条件を満たすかを判定するステップと、上記再生条件を満たすと判定された場合に、取得された上記チャンネル識別情報が示すチャンネルにより受信された上記コンテンツ信号を、取得された上記鍵情報を用いて復号して再生させるステップと、を有する、再生制御装置により実行される再生制御方法が提供される。【０００９】
また、本開示によれば、暗号化されたコンテンツ信号が放送されるチャンネルを示すチャンネル識別情報と、上記コンテンツ信号を再生するための条件である再生条件を示す再生条件情報と、上記コンテンツ信号を復号するための鍵情報とを含む、コンテンツ信号の再生に関する情報を、外部オブジェクトから取得させるステップ、取得された上記再生条件情報が示す再生条件を満たすかを判定するステップ、上記再生条件を満たすと判定された場合に、取得された上記チャンネル識別情報が示すチャンネルにより受信された上記コンテンツ信号を、取得された上記鍵情報を用いて復号して再生させるステップ、をコンピュータに実行させるためのプログラムが提供される。
【発明の効果】
【００１０】
本開示によれば、所定のチャンネルにより放送されるコンテンツ信号の再生を制御することができる。【００１１】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１２】
【図１】本実施形態に係る再生制御方法に係る処理を説明するための説明図である。
【図２】本実施形態に係る再生制御方法に係る処理の一例を示す流れ図である。
【図３】本実施形態に係る再生制御装置の構成の一例を示すブロック図である。
【図４】本実施形態に係る再生制御装置のハードウェア構成の一例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、以下では、下記に示す順序で説明を行う。
１．本実施形態に係る再生制御方法
２．本実施形態に係る再生制御装置
３．本実施形態に係るプログラム
【００１５】
（本実施形態に係る再生制御方法）
本実施形態に係る再生制御装置の構成について説明する前に、まず、本実施形態に係る再生制御方法について説明する。以下では、本実施形態に係る再生制御方法に係る処理を、本実施形態に係る再生制御装置が行う場合を例に挙げて、本実施形態に係る再生制御方法について説明する。
【００１６】
［１］本実施形態に係る再生制御方法に係る処理の概要
上述したように、コンテンツ信号が所定のチャンネルにより放送される場合において、所定のチャンネルにより送信されたコンテンツ信号の再生を制限する方法は、ない。
【００１７】
そこで、本実施形態に係る再生制御装置は、所定のチャンネルにより放送される暗号化されたコンテンツ信号の再生に関する情報を、外部オブジェクト（後述する）から取得する（取得制御処理）。
【００１８】
ここで、本実施形態に係るコンテンツ信号としては、例えば、画像（動画像または静止画像）や、音声（音楽も含む。）、文字（文字列）、または、これらの任意の組み合わせを示す信号が挙げられる。なお、本実施形態に係るコンテンツ信号は、上記に限られない。例えば、本実施形態に係るコンテンツ信号には、クーポンを示すデータや、ゲームなどの様々なアプリケーションのデータなど、様々なデータを示す信号が含まれていてもよい。
【００１９】
また、本実施形態に係る信号の放送としては、例えば、テレビジョン放送における信号の送信や、ラジオ放送における信号の送信、無線ＬＡＮ（Wireless  Local  Area  Network）などの無線通信技術による信号の送信など、電磁波が用いられた信号の送信が挙げられる。また、本実施形態に係る信号の放送は、例えば、ＬＡＮなどの有線通信技術による信号の送信など、有線による信号の送信であってもよい。
【００２０】
また、本実施形態に係る再生に関する情報には、例えば、チャンネル識別情報と、再生条件情報と、鍵情報とが含まれる。本実施形態に係る再生に関する情報は、例えば、各情報が結合された１データであってもよいし、各情報がそれぞれ個別のデータであるデータ群であってもよい。
【００２１】
本実施形態に係るチャンネル識別情報とは、暗号化されたコンテンツ信号が放送されるチャンネルを示すデータである。チャンネル識別情報が示すチャンネルが、上記所定のチャンネルに該当する。本実施形態に係るチャンネル識別情報としては、例えば、周波数（または周波数帯）を示すデータや、物理チャンネルを示すデータ、ＩＰ（Internet  Protocol）アドレスを示すデータなど、コンテンツ信号が送信される伝送路を特定することが可能なデータが挙げられる。また、本実施形態に係るチャンネル識別情報には、例えば、アクセスポイントなどに接続するための接続に係るデータ（例えば、ＳＳＩＤ（Service  Set  Identifier）などのＩＤや、認証キー、ＵＲＬ（Uniform  Resource  Locator）など）が含まれていてもよい。
【００２２】
本実施形態に係る再生条件情報とは、コンテンツ信号を再生するための条件である再生条件を示すデータである。本実施形態に係る再生条件の一例については、後述する。
【００２３】
本実施形態に係る鍵情報とは、コンテンツ信号を復号するためのデータである。本実施形態に係る鍵情報としては、例えば、暗号化されたコンテンツ信号を復号するための鍵値を示すデータが挙げられる。コンテンツ信号の暗号化に係る鍵とコンテンツ信号の復号に係る鍵とは、例えば、同一であってもよいし、対応する鍵であってもよい。また、本実施形態に係る鍵情報は、例えば、暗号化されたコンテンツ信号を復号するための鍵値の一部であってもよい。また、本実施形態に係る鍵情報は、例えば、放送波に重畳された、当該放送波自身を視聴するための暗号化された鍵情報を解くための鍵であってもよい。
【００２４】
なお、本実施形態に係る再生に関する情報に含まれる情報は、チャンネル識別情報、再生条件情報、および鍵情報に限られない。例えば、本実施形態に係る再生に関する情報には、オブジェクト識別情報や、取得先情報がさらに含まれていてもよい。
【００２５】
本実施形態に係るオブジェクト識別情報とは、本実施形態に係る外部オブジェクトを一意に示すデータである。本実施形態に係るオブジェクト識別情報としては、例えば、ユニークなＩＤを示すデータが挙げられる。
【００２６】
本実施形態に係る再生に関する情報にオブジェクト識別情報が含まれる場合、本実施形態に係る再生制御装置は、例えば、取得されたオブジェクト識別情報を、記録媒体に記憶させる。ここで、オブジェクト識別情報が記憶される記録媒体としては、例えば、本実施形態に係る再生制御装置が備える記憶部（後述する）や、本実施形態に係る再生制御装置に接続されている外部記録媒体、本実施形態に係る再生制御装置と通信可能な外部装置が備える記録媒体などが挙げられる。
【００２７】
本実施形態に係る取得先情報とは、チャンネル識別情報が示すチャンネルにより放送されるコンテンツ信号の再生に用いることが可能な再生アプリケーションの取得先を示すデータである。本実施形態に係る取得先情報しては、例えば、再生アプリケーションのダウンロード先を示すＵＲＬや、ダウンロードに係るパラメータなどが挙げられる。本実施形態に係る再生制御装置における、取得先情報を用いた処理の一例については、後述する。
【００２８】
上記取得制御処理により再生に関する情報が取得されると、本実施形態に係る再生制御装置は、取得された再生条件情報が示す再生条件を満たしているかを判定する（判定処理）。
【００２９】
そして、本実施形態に係る再生制御装置は、再生条件を満たしていると判定された場合に、取得されたチャンネル識別情報が示すチャンネル（所定のチャンネル）により受信されたコンテンツ信号を、取得された鍵情報を用いて復号して再生させる（再生制御処理）。本実施形態に係る再生制御処理としては、例えば、スクランブル解除を行う処理など、暗号化されたコンテンツ信号を復号する処理が挙げられる。
【００３０】
また、本実施形態に係る再生制御装置は、例えば、各種処理回路（ハードウェア）によって、再生制御処理を行う。なお、本実施形態に係る再生制御装置は、各種処理回路により再生制御処理を行うことに限られない。例えば、本実施形態に係る再生制御装置は、コンテンツ信号の再生に用いることが可能な再生アプリケーション（ソフトフェア）を、ＭＰＵ（Micro  Processing  Unit）などのプロセッサで実行することによって、再生制御処理を行ってもよい。
【００３１】
再生制御処理により、取得されたチャンネル識別情報が示すチャンネルにより受信されたコンテンツ信号を再生させた場合には、本実施形態に係る再生制御装置は、例えば、当該コンテンツ信号の再生回数をカウントする。また、上記の場合において、本実施形態に係る再生制御装置は、例えば、復号に用いた鍵情報の使用回数をカウントしてもよい。
【００３２】
また、本実施形態に係る再生制御装置は、再生条件を満たしていると判定されない場合には、仮に上記所定のチャンネルにより放送されるコンテンツ信号が受信された場合であっても、上記所定のチャンネルにより放送されるコンテンツ信号を、再生させない。
【００３３】
本実施形態に係る再生制御装置は、本実施形態に係る再生制御方法に係る処理として、例えば、（１）取得制御処理、（２）判定処理、および（３）再生制御処理を行う。
【００３４】
本実施形態に係る再生制御装置は、上記（３）再生制御処理において、上記（２）判定処理において再生条件を満たしていると判定された場合に、取得されたチャンネル識別情報が示すチャンネル（所定のチャンネル）により受信されたコンテンツ信号を、取得された鍵情報を用いて復号して再生させる。また、チャンネル識別情報と、再生条件を示す再生条件情報と、鍵情報とは、上記（１）取得制御処理により、外部オブジェクトから取得される。
【００３５】
つまり、本実施形態に係る再生制御方法が用いられる場合には、例えば、下記の条件を満たす装置に対して、所定のチャンネルにより放送されたコンテンツ信号の再生が許可され、また、下記の条件を満たさない装置に対しては、当該コンテンツ信号の再生が許可されない。
・外部オブジェクトから、本実施形態に係る再生に関する情報が取得されたこと
・取得された本実施形態に係る再生に関する情報に含まれる、再生条件情報が示す再生条件を満たしていること
【００３６】
したがって、本実施形態に係る再生制御装置は、本実施形態に係る再生制御方法に係る処理として、例えば、（１）取得制御処理、（２）判定処理、および（３）再生制御処理を行うことによって、所定のチャンネルにより送信されるコンテンツ信号の再生を制御することができる。
【００３７】
また、本実施形態に係る再生制御方法に係る処理が行われることによって、再生条件情報が示す再生条件に基づいて所定のチャンネルにより送信されるコンテンツ信号の再生が制御されるので、当該再生条件を満たす装置（例えば、特定の場所に存在する装置や、特定のユーザに対応する装置など）に、選択的に所定のチャンネルにより送信されるコンテンツ信号を再生させることを、実現することができる。
【００３８】
また、本実施形態に係る再生制御装置は、上記のように、取得されたチャンネル識別情報が示すチャンネル（所定のチャンネル）により受信されたコンテンツ信号を、取得された鍵情報を用いて復号して再生させる。したがって、本実施形態に係る再生制御装置は、例えば、本実施形態に係る再生制御装置においてプリセットされていないチャンネルにより放送されるコンテンツ信号であっても、再生させることができる。
【００３９】
［２］本実施形態に係る再生制御方法に係る処理
次に、本実施形態に係る再生制御方法に係る処理について、より具体的に説明する。
【００４０】
（１）取得制御処理
本実施形態に係る再生制御装置は、本実施形態に係る再生に関する情報を、外部オブジェクトから取得させる。本実施形態に係る再生制御装置は、本実施形態に係る再生に関する情報の取得に係る取得デバイスを制御することによって、本実施形態に係る再生に関する情報を、外部オブジェクトから取得させる。
【００４１】
ここで、本実施形態に係る取得デバイスとしては、例えば、外部オブジェクトと通信を行うことが可能な通信デバイス（外部オブジェクトとの通信により本実施形態に係る再生に関する情報を取得する場合）や、外部オブジェクトを撮像する撮像デバイス（外部オブジェクトを撮像した画像から実施形態に係る再生に関する情報を取得する場合）などが挙げられる。本実施形態に係る取得デバイスは、例えば、本実施形態に係る再生制御装置が備えていてもよいし、本実施形態に係る再生制御装置と接続されている外部のデバイスであってもよい。以下では、本実施形態に係る再生制御装置が、本実施形態に係る取得デバイスを備えている場合を主に例に挙げる。
【００４２】
図１は、本実施形態に係る再生制御方法に係る処理を説明するための説明図である。図１は、本実施形態に係る再生制御装置が、本実施形態に係る外部オブジェクトから通信により本実施形態に係る再生に関する情報を取得する場合の概念図を示している。
【００４３】
図１では、本実施形態に係る再生制御装置を符号１００で表しており、本実施形態に係る再生制御装置がスマートフォンである例を示している。また、図１では、本実施形態に係る外部オブジェクトを符号１０、または符号２０で表しており、本実施形態に係る外部オブジェクトがＲＦタグである例（図１に示すＡ）と、本実施形態に係る外部オブジェクトがリーダ／ライタである例（図１に示すＢ）とを示している。また、図１では、本実施形態に係るコンテンツ信号を放送する放送送信局を、符号５０で示しており、コンテンツ信号が放送される領域を符号ＡＲで示している。なお、本実施形態に係る再生制御装置、本実施形態に係る外部オブジェクト、および本実施形態に係る放送送信局が、図１に示す例に限られないことは、言うまでもない。
【００４４】
本実施形態に係る外部オブジェクトとしては、例えば、ＲＦタグ（応答器）や、ＩＣカード（応答器）、リーダ／ライタ（質問器）のような、本実施形態に係る再生制御装置との間で、ＮＦＣ（Near  Field  Communication）による通信技術やＲＦＩＤ（Radio  Frequency  IDentification）技術などの無線通信技術を用いた無線通信を行うことが可能なデバイスが挙げられる。
【００４５】
本実施形態に係る外部オブジェクトが、例えば図１のＡに示すようなＲＦタグや、ＩＣカードである場合、本実施形態に係る取得デバイスは、質問器の役目を果たす。上記の場合、本実施形態に係る取得デバイスは、例えば、搬送波を主体的に送信して、通信可能範囲内に存在する本実施形態に係る外部オブジェクトと通信を行い、当該外部オブジェクトから送信される本実施形態に係る再生に関する情報を受信する。本実施形態に係る取得デバイスにおける外部オブジェクトとの通信は、本実施形態に係る再生制御装置により制御される。
【００４６】
また、本実施形態に係る外部オブジェクトが、例えば図１のＢに示すようなリーダ／ライタである場合、本実施形態に係る取得デバイスは、応答器の役目を果たす。上記の場合、本実施形態に係る取得デバイスは、例えば、通信可能範囲内に存在する本実施形態に係る外部オブジェクトから送信される搬送波から電力を得て駆動して、外部オブジェクトと通信を行い、外部オブジェクトから送信される本実施形態に係る再生に関する情報を受信する。本実施形態に係る取得デバイスにおける外部オブジェクトとの通信は、本実施形態に係る再生制御装置により制御される。
【００４７】
また、本実施形態に係る外部オブジェクトは、例えば図１のＡ、Ｂに示すように、例えば、コンテンツ信号が放送される領域内に位置する。なお、本実施形態に係る外部オブジェクトは、コンテンツ信号が放送される領域内に位置することに限らない。例えば、本実施形態に係る外部オブジェクトは、コンテンツ信号が放送される領域外に位置していてもよい。上記コンテンツ信号が放送される領域外の位置としては、例えば、コンテンツ信号が放送される領域外におけるコンテンツ信号が示す内容に関連する位置（例えば、コンテンツ信号が示す内容が商品やサービスに関するものである場合、当該商品などのイベント会内の位置など）などが挙げられる。
【００４８】
なお、本実施形態に係る外部オブジェクトは、本実施形態に係る再生制御装置との間で、ＮＦＣによる通信技術やＲＦＩＤ技術などの無線通信技術を用いた無線通信を行うことが可能なデバイスに限られない。
【００４９】
例えば、本実施形態に係る外部オブジェクトは、音声周波数帯域の信号（例えば、３００［Ｈｚ］〜３４００［Ｈｚ］など、人による可聴周波数帯域の信号）による通信や、可視光や赤外線などの光により通信を行う光通信など、通信可能範囲がコンテンツ信号が放送される領域以下である任意の通信方式によって、本実施形態に係る再生制御装置との間で通信を行うことが可能なデバイスが挙げられる。また、本実施形態に係る取得デバイスとしては、例えば、本実施形態に係る外部オブジェクトが有する通信機能に対応する通信機能を有する通信デバイスが挙げられる。本実施形態に係る取得デバイスにおける外部オブジェクトとの通信は、本実施形態に係る再生制御装置により制御される。
【００５０】
また、本実施形態に係る外部オブジェクトは、マトリックス型二次元コードなどの二次元コードや、三次元コードであってもよい。本実施形態に係る外部オブジェクトが、二次元コードや三次元コードである場合、本実施形態に係る取得デバイスとしては、例えば、本実施形態に係る外部オブジェクトを撮像した画像を生成することが可能な撮像デバイスが挙げられる。本実施形態に係る取得デバイスにおける外部オブジェクトの撮像は、本実施形態に係る再生制御装置により制御される。また、本実施形態に係る再生制御装置は、撮像された画像に含まれる二次元コードなどのコードを解析することによって、当該コードから本実施形態に係る再生に関する情報を得る。
【００５１】
以下では、本実施形態に係る外部オブジェクトが、本実施形態に係る再生制御装置との間で、ＮＦＣによる通信技術やＲＦＩＤ技術などの無線通信技術を用いた無線通信を行うことが可能なデバイスである場合を例に挙げる。
【００５２】
（２）判定処理
本実施形態に係る再生制御装置は、上記（１）の処理（取得制御処理）により取得された再生条件情報が示す再生条件を満たすかを判定する。
【００５３】
（２−１）判定処理の第１の例：再生条件が、チャンネル識別情報が示すチャンネルにより放送される信号の受信状態に関する条件を含む場合
再生条件が、受信状態に関する条件を含む場合には、本実施形態に係る再生制御装置は、上記（１）の処理（取得制御処理）により取得されたチャンネル識別情報が示すチャンネルにより放送される信号の受信状態に基づいて、受信状態に関する条件を満たすか否かを判定する。そして、本実施形態に係る再生制御装置は、受信状態に関する条件の判定結果に基づいて再生条件を満たすかを判定する。
【００５４】
本実施形態に係る受信状態に関する条件としては、例えば、チャンネル識別情報が示すチャンネルにより放送される信号が受信されることが、挙げられる。
【００５５】
より具体的には、本実施形態に係る再生制御装置は、放送される信号を受信することが可能な信号受信デバイスを制御して、当該信号受信デバイスに、チャンネル識別情報が示すチャンネルにより放送される信号を受信させる。
【００５６】
ここで、本実施形態に係る信号受信デバイスとしては、例えば、アンテナと電気的に接続されているチューナなどが挙げられる。また、本実施形態に係る信号受信デバイスは、上記アンテナを含んでいてもよい。本実施形態に係る信号受信デバイスは、例えば、本実施形態に係る再生制御装置が備えていてもよいし、本実施形態に係る再生制御装置と接続されている外部のデバイスであってもよい。以下では、本実施形態に係る再生制御装置が、本実施形態に係る信号受信デバイスを備えている場合を主に例に挙げる。
【００５７】
本実施形態に係る再生制御装置は、例えば、信号受信デバイスからチャンネル識別情報が示すチャンネルにより放送される信号が伝達された場合や、伝達された信号レベルが設定されている所定のレベル以上である場合（または、伝達された信号レベルが当該所定のレベルより大きい場合）、すなわち、チャンネル識別情報が示すチャンネルにより放送される信号が正常に受信されている場合に、受信状態に関する条件を満たすと判定する。そして、本実施形態に係る再生制御装置は、再生条件を満たすと判定する。
【００５８】
また、本実施形態に係る再生制御装置は、例えば、信号受信デバイスからチャンネル識別情報が示すチャンネルにより放送される信号が伝達されない場合など、チャンネル識別情報が示すチャンネルにより放送される信号が正常に受信されない場合に、受信状態に関する条件を満たさないと判定する。そして、本実施形態に係る再生制御装置は、再生条件を満たすと判定しない。
【００５９】
再生条件が、受信状態に関する条件を含む場合、本実施形態に係る再生制御装置は、例えば上記のように、受信状態に関する条件の判定結果に基づいて、再生条件を満たすか否かを判定する。
【００６０】
例えば上記のように、受信状態に関する条件の判定結果に基づいて再生条件を満たすかを判定することによって、放送されるコンテンツ信号の再生が許可される装置を、例えば放送されるコンテンツ信号が受信可能な領域により制限することが可能となる。よって、例えば上記のように、受信状態に関する条件の判定結果に基づいて再生条件を満たすかを判定することによって、所定のチャンネルにより放送されるコンテンツ信号の再生を、よりフレキシブルに制御することができる。
【００６１】
なお、再生条件が、受信状態に関する条件を含む場合における判定処理は、上記に限られない。
【００６２】
例えば、本実施形態に係る再生制御装置を所持するユーザが、コンテンツ信号が放送される領域内から、コンテンツ信号が放送される領域外へと移動した場合には、判定処理において、一旦受信状態に関する条件を満たすと判定された後に、受信状態に関する条件を満たさないと判定されることが起こりうる。上記のように、受信状態に関する条件を満たすと判定した後に、受信状態に関する条件を満たさないと判定した場合、本実施形態に係る再生制御装置は、例えば、満たさないと判定した判定に用いた再生条件情報が示す再生条件による、新たな判定を行わなくてもよい。
【００６３】
満たさないと判定した判定に用いた再生条件情報が示す再生条件による、新たな判定を行わない場合、本実施形態に係る再生制御装置は、例えば、上記（１）の処理（取得制御処理）により再生条件情報が新たに取得されたときに、新たに取得された再生条件情報が示す再生条件を満たすかを判定する。つまり、上記の場合、本実施形態に係る再生制御装置は、例えば、上記（１）の処理（取得制御処理）により再生条件情報が新たに取得されたときに、新たに取得された再生条件情報に基づいて判定処理を行う。
【００６４】
上記のように、受信状態に関する条件を満たすと判定した後に、受信状態に関する条件を満たさないと判定した場合に、満たさないと判定した判定に用いた再生条件情報が示す再生条件による新たな判定を行わないことによって、本実施形態に係る再生制御装置は、所定のチャンネルにより放送されるコンテンツ信号の再生を、よりフレキシブルに制御することができる。
【００６５】
（２−２）判定処理の第２の例：再生条件が、複数のオブジェクト識別情報の組み合わせに関する条件を含む場合
上述したように、本実施形態に係る再生に関する情報には、外部オブジェクトを一意に示すオブジェクト識別情報がさらに含まれうる。また、本実施形態に係る再生に関する情報にオブジェクト識別情報が含まれる場合、本実施形態に係る再生制御装置は、例えば、オブジェクト識別情報を記録媒体に記憶させる。
【００６６】
再生条件が、複数のオブジェクト識別情報の組み合わせに関する条件を含む場合には、本実施形態に係る再生制御装置は、上記（１）の処理（取得制御処理）により取得されたオブジェクト識別情報と、記録媒体に記憶されているオブジェクト識別情報とに基づいて、組み合わせに関する条件を満たすか否かを判定する。そして、本実施形態に係る再生制御装置は、組み合わせに関する条件の判定結果に基づいて再生条件を満たすかを判定する。
【００６７】
本実施形態に係る組み合わせに関する条件としては、例えば、得られているオブジェクト識別情報の組み合わせが、２または３以上の特定のオブジェクト識別情報の組み合わせに合致していることが挙げられる。また、本実施形態に係る組み合わせに関する条件は、例えば、１または２以上の特定のオブジェクト識別情報が得られており、かつ、所定の数のオブジェクト識別情報が得られていることであってもよい。
【００６８】
より具体的には、本実施形態に係る再生制御装置は、例えば、上記（１）の処理（取得制御処理）により新たに取得されたオブジェクト識別情報と、記録媒体に記憶されているオブジェクト識別情報との組み合わせが、組み合わせに関する条件に規定される組み合わせと合致する場合に、組み合わせに関する条件を満たすと判定する。そして、本実施形態に係る再生制御装置は、再生条件を満たすと判定する。
【００６９】
また、本実施形態に係る再生制御装置は、例えば、上記（１）の処理（取得制御処理）により新たに取得されたオブジェクト識別情報と、記録媒体に記憶されているオブジェクト識別情報との組み合わせが、組み合わせに関する条件に規定される組み合わせと合致しない場合には、組み合わせに関する条件を満たさないと判定する。そして、本実施形態に係る再生制御装置は、再生条件を満たすと判定しない。
【００７０】
例えば上記のように、組み合わせに関する条件の判定結果に基づいて再生条件を満たすかを判定することによって、放送されるコンテンツ信号の再生が許可される装置をより制限することが可能となる。よって、例えば上記のように、組み合わせに関する条件の判定結果に基づいて再生条件を満たすかを判定することによって、所定のチャンネルにより放送されるコンテンツ信号の再生を、よりフレキシブルに制御することができる。
【００７１】
（２−３）判定処理の第３の例：再生条件が、チャンネル識別情報が示すチャンネルにより放送されるコンテンツ信号の再生が許可される期間に関する条件を含む場合
再生条件が、再生が許可される期間に関する条件を含む場合には、本実施形態に係る再生制御装置は、再生が許可される期間に関する条件を満たすか否かを判定する。そして、本実施形態に係る再生制御装置は、再生が許可される期間に関する条件の判定結果に基づいて再生条件を満たすかを判定する。
【００７２】
本実施形態に係る再生が許可される期間に関する条件としては、例えば、判定時の時間が、再生が許可される期間（例えば、何年何月何日〜何年何月何日まで）に含まれることが挙げられる。また、本実施形態に係る再生が許可される期間に関する条件には、例えば、判定時の時間が、再生が許可される時間帯（何時〜何時まで）に含まれることが、さらに規定されていてもよい。
【００７３】
より具体的には、本実施形態に係る再生制御装置は、例えば、判定時の時間が、再生が許可される期間に関する条件が示す期間に含まれている場合に、再生が許可される期間に関する条件を満たすと判定する。そして、本実施形態に係る再生制御装置は、再生条件を満たすと判定する。
【００７４】
また、本実施形態に係る再生制御装置は、例えば、判定時の時間が、再生が許可される期間に関する条件が示す期間に含まれていない場合には、再生が許可される期間に関する条件を満たさないと判定する。そして、本実施形態に係る再生制御装置は、再生条件を満たすと判定しない。
【００７５】
例えば上記のように、再生が許可される期間に関する条件の判定結果に基づいて再生条件を満たすかを判定することによって、放送されるコンテンツ信号の再生が許可される装置を、条件として設定されている期間によって、より制限することが可能となる。よって、例えば上記のように、再生が許可される期間に関する条件の判定結果に基づいて再生条件を満たすかを判定することによって、所定のチャンネルにより放送されるコンテンツ信号の再生を、よりフレキシブルに制御することができる。
【００７６】
（２−４）判定処理の第４の例：再生条件が、鍵情報の使用が許可される鍵情報の有効期間に関する条件を含む場合
再生条件が、鍵情報の有効期間に関する条件を含む場合には、本実施形態に係る再生制御装置は、鍵情報の有効期間に関する条件を満たすか否かを判定する。そして、本実施形態に係る再生制御装置は、鍵情報の有効期間に関する条件の判定結果に基づいて再生条件を満たすかを判定する。
【００７７】
本実施形態に係る鍵情報の有効期間に関する条件としては、例えば、判定時の時間が、鍵情報が有効な期間（例えば、何年何月何日〜何年何月何日まで）に含まれることが挙げられる。また、本実施形態に係る鍵情報の有効期間に関する条件には、例えば、判定時の時間が、鍵情報が有効な時間帯（何時〜何時まで）に含まれることが、さらに規定されていてもよい。
【００７８】
より具体的には、本実施形態に係る再生制御装置は、例えば、判定時の時間が、鍵情報の有効期間に関する条件が示す鍵情報が有効な期間に含まれている場合に、鍵情報の有効期間に関する条件を満たすと判定する。そして、本実施形態に係る再生制御装置は、再生条件を満たすと判定する。
【００７９】
また、本実施形態に係る再生制御装置は、例えば、判定時の時間が、鍵情報の有効期間に関する条件が示す鍵情報が有効な期間に含まれていない場合には、鍵情報の有効期間に関する条件を満たさないと判定する。そして、本実施形態に係る再生制御装置は、再生条件を満たすと判定しない。
【００８０】
例えば上記のように、鍵情報の有効期間に関する条件に関する条件の判定結果に基づいて再生条件を満たすかを判定することによって、放送されるコンテンツ信号の再生が許可される装置を、条件として設定されている鍵情報の有効期間によって、より制限することが可能となる。よって、例えば上記のように、鍵情報の有効期間に関する条件の判定結果に基づいて再生条件を満たすかを判定することによって、所定のチャンネルにより放送されるコンテンツ信号の再生を、よりフレキシブルに制御することができる。
【００８１】
また、鍵情報の有効期間に関する条件を満たさないと判定した場合、本実施形態に係る再生制御装置は、例えば、上記（１）の処理（取得制御処理）において取得された鍵情報を削除してもよい。上記のように鍵情報を削除することによって、当該鍵情報による、放送されるコンテンツ信号の復号は行えなくなる。よって、上記のように鍵情報を削除することによって、本実施形態に係る再生制御装置は、所定のチャンネルにより放送されるコンテンツ信号の再生を、より厳密に制限することができる。
【００８２】
（２−５）判定処理の第５の例：再生条件が、チャンネル識別情報が示すチャンネルにより放送されるコンテンツ信号の再生が許可される位置に関する条件を含む場合
再生条件が、位置に関する条件を含む場合には、本実施形態に係る再生制御装置は、位置に関する条件を満たすか否かを判定する。そして、本実施形態に係る再生制御装置は、位置に関する条件の判定結果に基づいて再生条件を満たすかを判定する。
【００８３】
本実施形態に係る位置に関する条件としては、例えば、判定処理が行われる位置が、設定されている領域内に含まれることが挙げられる。
【００８４】
より具体的には、本実施形態に係る再生制御装置は、例えば、位置検出デバイスにより検出された判定時の位置が、条件として設定されている領域内に含まれている場合や、条件として設定されている位置に合致する場合に、位置に関する条件を満たすと判定する。そして、本実施形態に係る再生制御装置は、再生条件を満たすと判定する。本実施形態に係る位置検出デバイスにおける位置の検出は、例えば、本実施形態に係る再生制御装置により制御される。
【００８５】
本実施形態に係る位置検出デバイスとしては、例えば、ＧＰＳ（Global  Positioning  System）デバイスが挙げられる。また、本実施形態に係る位置検出デバイスは、基地局やアクセスポイントとの無線通信などを利用して位置を特定することが可能なデバイスなど、位置を特定することが可能な任意のデバイスであってもよい。本実施形態に係る位置検出デバイスは、例えば、本実施形態に係る再生制御装置が備えていてもよいし、本実施形態に係る再生制御装置と接続されている外部のデバイスであってもよい。
【００８６】
また、本実施形態に係る再生制御装置は、例えば、位置検出デバイスにより検出された判定時の位置が、条件として設定されている領域内に含まれていない場合や、条件として設定されている位置に合致しない場合には、位置に関する条件を満たさないと判定する。そして、本実施形態に係る再生制御装置は、再生条件を満たすと判定しない。
【００８７】
例えば上記のように、位置に関する条件に関する条件の判定結果に基づいて再生条件を満たすかを判定することによって、放送されるコンテンツ信号の再生が許可される装置を、条件として設定されている領域や位置によって、より制限することが可能となる。よって、例えば上記のように、位置に関する条件の判定結果に基づいて再生条件を満たすかを判定することによって、所定のチャンネルにより放送されるコンテンツ信号の再生を、よりフレキシブルに制御することができる。
【００８８】
（２−６）判定処理の第６の例：再生条件が、チャンネル識別情報が示すチャンネルにより放送されるコンテンツ信号の再生が許可される再生回数に関する条件を含む場合
再生条件が、再生回数に関する条件を含む場合には、本実施形態に係る再生制御装置は、コンテンツ信号が再生された回数が再生回数に関する条件を満たすか否かを判定する。そして、本実施形態に係る再生制御装置は、再生回数に関する条件の判定結果に基づいて再生条件を満たすかを判定する。
【００８９】
本実施形態に係る再生回数に関する条件としては、例えば、チャンネル識別情報が示すチャンネルにより放送されるコンテンツ信号の再生回数が、設定されている再生回数内にであることが挙げられる。
【００９０】
より具体的には、本実施形態に係る再生制御装置は、例えば、上記（３）の処理（再生制御処理）においてカウントされた再生回数が、設定されている再生回数以下である場合（または、カウントされた再生回数が、設定されている再生回数より小さい場合）に、再生回数に関する条件を満たすと判定する。そして、本実施形態に係る再生制御装置は、再生条件を満たすと判定する。
【００９１】
また、本実施形態に係る再生制御装置は、例えば、上記（３）の処理（再生制御処理）においてカウントされた再生回数が、設定されている再生回数より大きい場合（または、カウントされた再生回数が、設定されている再生回数以上である場合）に、再生回数に関する条件を満たさないと判定する。そして、本実施形態に係る再生制御装置は、再生条件を満たすと判定しない。
【００９２】
例えば上記のように、再生回数に関する条件の判定結果に基づいて再生条件を満たすかを判定することによって、放送されるコンテンツ信号の再生が許可される装置を、条件として設定されている再生回数によって、より制限することが可能となる。よって、例えば上記のように、再生回数に関する条件の判定結果に基づいて再生条件を満たすかを判定することによって、所定のチャンネルにより放送されるコンテンツ信号の再生を、よりフレキシブルに制御することができる。
【００９３】
（２−７）判定処理の第７の例：再生条件が、鍵情報の使用が許可される鍵情報の有効回数に関する条件を含む場合
再生条件が、鍵情報の有効回数に関する条件を含む場合には、本実施形態に係る再生制御装置は、上記（３）の処理（再生制御処理）における鍵情報の使用回数が、鍵情報の有効回数に関する条件を満たすか否かを判定する。そして、本実施形態に係る再生制御装置は、鍵情報の有効回数に関する条件の判定結果に基づいて再生条件を満たすかを判定する。
【００９４】
本実施形態に係る鍵情報の有効回数に関する条件としては、例えば、鍵情報の使用回数が、設定されている有効回数内であることが挙げられる。
【００９５】
より具体的には、本実施形態に係る再生制御装置は、例えば、上記（３）の処理（再生制御処理）においてカウントされた鍵情報の使用回数が、設定されている有効回数以下である場合（または、カウントされた使用回数が、設定されている有効回数より小さい場合）に、鍵情報の有効回数に関する条件を満たすと判定する。そして、本実施形態に係る再生制御装置は、再生条件を満たすと判定する。
【００９６】
また、本実施形態に係る再生制御装置は、例えば、上記（３）の処理（再生制御処理）においてカウントされた鍵情報の使用回数が、設定されている有効回数より大きい場合（または、カウントされた使用回数が、設定されている有効回数以上の場合）に、鍵情報の有効回数に関する条件を満たさないと判定する。そして、本実施形態に係る再生制御装置は、再生条件を満たすと判定しない。
【００９７】
例えば上記のように、鍵情報の有効回数に関する条件の判定結果に基づいて再生条件を満たすかを判定することによって、放送されるコンテンツ信号の再生が許可される装置を、条件として設定されている鍵情報の有効回数によって、より制限することが可能となる。よって、例えば上記のように、鍵情報の有効回数に関する条件の判定結果に基づいて再生条件を満たすかを判定することによって、所定のチャンネルにより放送されるコンテンツ信号の再生を、よりフレキシブルに制御することができる。
【００９８】
また、鍵情報の有効回数に関する条件を満たさないと判定した場合、本実施形態に係る再生制御装置は、例えば、上記（１）の処理（取得制御処理）において取得された鍵情報を削除してもよい。上記のように鍵情報を削除することによって、当該鍵情報による、放送されるコンテンツ信号の復号は行えなくなる。よって、上記のように鍵情報を削除することによって、本実施形態に係る再生制御装置は、所定のチャンネルにより放送されるコンテンツ信号の再生を、より厳密に制限することができる。
【００９９】
（２−８）判定処理の第８の例：再生条件が、チャンネル識別情報が示すチャンネルにより放送されるコンテンツ信号の再生が許可されるユーザに関する条件を含む場合
再生条件が、ユーザに関する条件を含む場合には、本実施形態に係る再生制御装置は、ユーザ識別情報に基づいて、ユーザに関する条件を満たすか否かを判定する。そして、本実施形態に係る再生制御装置は、ユーザに関する条件の判定結果に基づいて再生条件を満たすかを判定する。
【０１００】
本実施形態に係るユーザ識別情報とは、本実施形態に係る再生制御装置と、本実施形態に係る再生制御装置のユーザとのうちの少なくとも一方を示すデータである。本実施形態に係るユーザ識別情報としては、例えば、本実施形態に係る再生制御装置のＩＤや、機種名を示すデータ、製造番号を示すデータ、ＯＳ（Operating  System）のバージョン名を示すデータなどが挙げられる（本実施形態に係るユーザ識別情報が、本実施形態に係る再生制御装置を示すデータである場合）。また、本実施形態に係るユーザ識別情報としては、例えば、ユーザ名を示すデータや、性別を示すデータ、年齢を示すデータ、国籍を示すデータ、信仰している宗教を示すデータなど、ユーザの個人データが挙げられる（本実施形態に係るユーザ識別情報が、本実施形態に係る再生制御装置のユーザを示すデータである場合）。
【０１０１】
本実施形態に係るユーザに関する条件としては、例えば、“ユーザ識別情報が示す本実施形態に係る再生制御装置のＩＤが、設定されているＩＤと合致すること”や、“ユーザ識別情報が示す機種名が、設定されている機種名に含まれていること”、“ユーザ識別情報が示すＯＳのバージョンが、設定されているＯＳのバージョンに含まれていること”、“ユーザ識別情報が示す製造番号が、設定されている製造番号と合致すること”などが挙げられる。また、本実施形態に係るユーザに関する条件としては、例えば、“ユーザ識別情報が示すユーザ名が、設定されているユーザ名と合致すること”や、“ユーザ識別情報が示す性別が、設定されている性別と合致すること”、“ユーザ識別情報が示す年齢が、設定されている対象年齢に含まれていること”、“ユーザ識別情報が示す国籍が示す国が、設定されている国に含まれていること”、“ユーザ識別情報が示す宗教が、設定されている宗教に含まれていること”などが挙げられる。また、本実施形態に係るユーザに関する条件は、例えば、上記に示す各条件を組み合わせた条件であってもよい。なお、本実施形態に係るユーザに関する条件が、上記に示す例に限られないことは、言うまでもない。
【０１０２】
より具体的には、本実施形態に係る再生制御装置は、例えば、ユーザ識別情報が示す内容が、ユーザに関する条件を満たしている場合に、ユーザに関する条件を満たすと判定する。そして、本実施形態に係る再生制御装置は、再生条件を満たすと判定する。
【０１０３】
また、本実施形態に係る再生制御装置は、例えば、ユーザ識別情報が示す内容が、ユーザに関する条件を満たしていない場合に、ユーザに関する条件を満たさないと判定する。そして、本実施形態に係る再生制御装置は、再生条件を満たすと判定しない。
【０１０４】
例えば上記のように、ユーザに関する条件の判定結果に基づいて再生条件を満たすかを判定することによって、放送されるコンテンツ信号の再生が許可される装置を、本実施形態に係る再生制御装置の属性や、本実施形態に係る再生制御装置のユーザの属性によって、制限することが可能となる。よって、例えば上記のように、ユーザに関する条件の判定結果に基づいて再生条件を満たすかを判定することによって、所定のチャンネルにより放送されるコンテンツ信号の再生を、よりフレキシブルに制御することができる。
【０１０５】
（２−９）判定処理の第９の例
本実施形態に係る再生制御装置は、判定処理として、例えば、上記第１の例に係る判定処理〜上記第８の例に係る判定処理のうちの、２以上を任意に組み合わせた処理を行うことも可能である。ここで、第９の例に係る判定処理を行う場合、本実施形態に係る再生制御装置は、例えば、組み合わせた各判定処理のうちの、１つの判定処理において再生条件を満たすと判定された場合に、再生条件を満たすと判定する。また、第９の例に係る判定処理を行う場合、本実施形態に係る再生制御装置は、例えば、組み合わせた各判定処理のうちの、所定の数の判定処理において再生条件を満たすと判定された場合に、再生条件を満たすと判定してもよい。
【０１０６】
本実施形態に係る再生制御装置は、判定処理として、例えば、上記第１の例に係る判定処理〜上記第９の例に係る判定処理のうちのいずれかの処理を行う。
【０１０７】
なお、本実施形態に係る判定処理は、上記第１の例〜上記第９の例に限られない。
【０１０８】
（２−１０）判定処理の他の例
例えば、再生条件情報には、再生条件として、外部装置との間で行われる処理の結果に関する条件が含まれていてもよい。本実施形態に係る外部装置との間で行われる処理としては、例えば、課金処理や、認証処理などが挙げられる。再生条件として、外部装置との間で行われる処理の結果に関する条件が含まれる場合、再生条件情報には、例えば、外部装置との間で処理に係る通信を行うための情報（例えば、ＵＲＬや処理パラメータなどを示すデータ）が含まれる。
【０１０９】
再生条件として、外部装置との間で行われる処理の結果に関する条件が含まれる場合、本実施形態に係る再生制御装置は、例えば、外部装置との間における処理の結果を示すデータに基づいて、外部装置との間で行われる処理の結果に関する条件を満たすか否かを判定する。
【０１１０】
より具体的には、本実施形態に係る再生制御装置は、例えば、記憶部（後述する）などの記録媒体に、外部装置との間で行われる処理が正常に完了したことを示すデータ（例えば、決済が完了したことを示す決済情報や、認証が完了したことを示す認証情報など）が記憶されている場合に、外部装置との間で行われる処理の結果に関する条件を満たすと判定する。そして、本実施形態に係る再生制御装置は、再生条件を満たすと判定する。
【０１１１】
また、記憶部（後述する）などの記録媒体に、外部装置との間で行われる処理が正常に完了したことを示すデータが記憶されていない場合、本実施形態に係る再生制御装置は、例えば、再生条件情報に含まれる、外部装置との間で処理に係る通信を行うための情報を用いて外部装置と通信を行い、外部装置との間で処理を行う。
【０１１２】
外部装置との間における処理の結果を示すデータが、外部装置との間で行われる処理が正常に完了したことを示すデータである場合には、本実施形態に係る再生制御装置は、外部装置との間で行われる処理の結果に関する条件を満たすと判定する。そして、本実施形態に係る再生制御装置は、再生条件を満たすと判定する。
【０１１３】
また、外部装置との間における処理の結果を示すデータが、外部装置との間で行われる処理が正常に完了したことを示すデータでない場合には、本実施形態に係る再生制御装置は、外部装置との間で行われる処理の結果に関する条件を満たさないと判定する。そして、本実施形態に係る再生制御装置は、再生条件を満たすと判定しない。
【０１１４】
例えば上記のように、外部装置との間で行われる処理の結果に関する条件の判定結果に基づいて再生条件を満たすかを判定することによって、放送されるコンテンツ信号の再生が許可される装置を、条件として設定されている外部装置との間で行われる処理の結果によって、より制限することが可能となる。よって、例えば上記のように、外部装置との間で行われる処理の結果に関する条件の判定結果に基づいて再生条件を満たすかを判定することによって、所定のチャンネルにより放送されるコンテンツ信号の再生を、よりフレキシブルに制御することができる。
【０１１５】
本実施形態に係る再生制御装置は、判定処理として、例えば、上記第１の例に係る判定処理〜上記第９の例に係る判定処理と、上記他の例に係る処理とを組み合わせた処理を行うことも可能である。
【０１１６】
（３）再生制御処理
本実施形態に係る再生制御装置は、上記（２）の処理（判定処理）において再生条件を満たすと判定された場合に、上記（１）の処理（取得制御処理）によって取得されたチャンネル識別情報が示すチャンネルにより受信されたコンテンツ信号を、上記（１）の処理（取得制御処理）によって取得された鍵情報を用いて復号して再生させる。
【０１１７】
また、本実施形態に係る再生制御装置は、再生制御処理として、例えば下記に示す処理を行うことも可能である。
【０１１８】
（３−１）再生制御処理の第１の例
本実施形態に係る再生制御装置は、本実施形態に係るユーザ識別情報に基づいて、取得されたチャンネル識別情報が示すチャンネルにより受信されたコンテンツ信号の再生の仕方を設定する。そして、本実施形態に係る再生制御装置は、設定された再生の仕方によって、コンテンツ信号を再生させる。
【０１１９】
ここで、ユーザ識別情報に基づくコンテンツ信号の再生の仕方の設定としては、例えば下記に示す例が挙げられる。なお、ユーザ識別情報に基づくコンテンツ信号の再生の仕方の設定の例が、下記に示す例に限られないことは、言うまでもない。
・ユーザ識別情報が示す国籍に基づいて、コンテンツ信号が示す音声の言語を選択する
・ユーザ識別情報が示す年齢に基づいて、コンテンツ信号が示す文字の大きさの選択や、文字が表示される位置の選択などアクセシビリティに係る選択を行う
【０１２０】
例えば上記のように、本実施形態に係る再生制御装置が、ユーザ識別情報に基づいて設定された再生の仕方によって、コンテンツ信号を再生させることによって、ユーザの利便性をより向上させることができる。
【０１２１】
（３−２）再生制御処理の第２の例
上記では、チャンネル識別情報が示すチャンネルにより放送されるコンテンツ信号が、再生に関する情報に含まれる鍵情報（以下、「第１の鍵情報」と示す場合がある。）、または、当該鍵情報に対応する鍵情報により暗号化されている例を示したが、本実施形態に係るコンテンツ信号の暗号化は、上記に限られない。例えば、チャンネル識別情報が示すチャンネルにより放送されるコンテンツ信号は、第１の鍵情報と、第１の鍵情報とは異なる第２の鍵情報とに対応して暗号化されていてもよい。
【０１２２】
チャンネル識別情報が示すチャンネルにより放送されるコンテンツ信号が、第１の鍵情報と第２の鍵情報とに対応して暗号化されている場合、本実施形態に係る再生制御装置は、例えば、上記（１）の処理（取得制御処理）によって取得されたチャンネル識別情報が示すチャンネルにより受信されたコンテンツ信号を、上記（１）の処理（取得制御処理）によって取得された第１の鍵情報と、記録媒体に記憶されている第２の鍵情報とを用いて復号して再生させる。
【０１２３】
ここで、第２の鍵情報が記憶される記録媒体としては、例えば、本実施形態に係る再生制御装置が備える記憶部（後述する）や、本実施形態に係る再生制御装置に接続されている外部記録媒体、本実施形態に係る再生制御装置と通信可能な外部装置が備える記録媒体などが挙げられる。
【０１２４】
また、本実施形態に係る第２の鍵情報としては、例えば、記録媒体に予め記憶されている鍵情報が挙げられる。
【０１２５】
なお、本実施形態に係る再生制御装置が、第２の例に係る再生制御処理において用いる第２の鍵情報は、記録媒体に予め記憶されている鍵情報に限られない。
【０１２６】
本実施形態に係る第２の鍵情報は、例えば、サーバなどの外部オブジェクトとは異なる外部装置から取得され、記録媒体に記録された鍵情報であってもよい。外部装置から取得される鍵情報としては、例えば、有料放送に係るコンテンツ信号を再生するための鍵情報が挙げられる。例えば、本実施形態に係る再生制御装置は、上記外部装置との間で、第２の鍵情報の取得に係る課金処理を行う。そして、本実施形態に係る再生制御装置は、上記課金処理が完了した後に、外部装置から第２の鍵情報を取得する。
【０１２７】
（３−３）再生制御処理の第３の例
上述したように、本実施形態に係る再生に関する情報には、再生アプリケーションの取得先を示す取得先情報がさらに含まれうる。また、本実施形態に係る再生制御装置は、例えば、再生アプリケーションを実行することによって、コンテンツ信号の再生を行う。
【０１２８】
ここで、受信されたコンテンツ信号の再生を行うことが可能なアプリケーションが存在しない場合には、本実施形態に係る再生制御装置は、取得先情報が示す取得先から再生アプリケーションを取得させる。例えば、本実施形態に係る再生制御装置は、通信デバイスを制御することにより、当該通信デバイスに取得先情報が示す取得先に対応する装置（例えば、再生アプリケーションを記憶するサーバなど）と通信を行わせることによって、当該取得先から再生アプリケーションを取得する。
【０１２９】
そして、本実施形態に係る再生制御装置は、取得された再生アプリケーションを用いて、受信されたコンテンツ信号を再生させる。本実施形態に係る再生制御装置は、例えば、取得された再生アプリケーションをインストールし、インストールされた再生アプリケーションを実行する。なお、取得された再生アプリケーションが、インストール不要なアプリケーションである場合には、本実施形態に係る再生制御装置は、取得された再生アプリケーションをインストールせずに、取得された再生アプリケーションを実行することが可能である。
【０１３０】
本実施形態に係る再生に関する情報に取得先情報がさらに含まれることによって、例えば上記のように、本実施形態に係る再生制御装置は、取得先情報が示す取得先から取得された再生アプリケーションを用いて、受信されたコンテンツ信号を再生させることが可能となる。よって、本実施形態に係る再生に関する情報に取得先情報がさらに含まれ、第３の例に係る再生制御処理が行われることによって、コンテンツ信号の再生を行うことが可能なアプリケーションが存在しない場合であっても、本実施形態に係る再生制御装置は、受信されたコンテンツ信号の再生を行うことができる。
【０１３１】
したがって、本実施形態に係る再生に関する情報に取得先情報がさらに含まれ、第３の例に係る再生制御処理が行われることによって、ユーザの利便性をより向上させることができる。
【０１３２】
（３−４）再生制御処理の第４の例
本実施形態に係る再生制御装置は、再生制御処理として、例えば、上記第１の例に係る再生制御処理〜上記第３の例に係る再生制御処理のうちの、２以上を任意に組み合わせた処理を行うことも可能である。
【０１３３】
本実施形態に係る再生制御装置は、再生制御処理として、例えば上記第１の例に係る再生制御処理〜上記第４の例に係る再生制御処理を行うことが可能である。なお、本実施形態に係る再生制御処理の例が、上記第１の例に係る再生制御処理〜上記第４の例に係る再生制御処理に限られないことは、言うまでもない。
【０１３４】
［３］本実施形態に係る再生制御方法に係る処理の具体例
次に、本実施形態に係る再生制御方法に係る処理の具体例を示す。図２は、本実施形態に係る再生制御方法に係る処理の一例を示す流れ図である。ここで、図２のステップＳ１０２の処理が、上記（１）の処理（取得制御処理）に該当する。また、図２のステップＳ１０４の処理が、上記（２）の処理（判定処理）に該当する。そして、図２のステップＳ１０６〜Ｓ１１２の処理が、上記（３）の処理（再生制御処理）に該当する。
【０１３５】
本実施形態に係る再生制御装置は、取得制御処理を行う（Ｓ１００）。ここで、本実施形態に係る再生制御装置は、所定のユーザ操作をトリガとして、取得制御処理を開始するが、取得制御処理の開始のトリガは、上記に限られない。例えば、外部オブジェクトがリーダ／ライタである場合、本実施形態に係る再生制御装置は、外部オブジェクトから送信された搬送波に係る信号（例えば、ポーリング信号など）が検出されたことをトリガとして、取得制御処理を開始してもよい。
【０１３６】
ステップＳ１００の処理が行われると、本実施形態に係る再生制御装置は、再生に関する情報が取得されたか否かを判定する（Ｓ１０２）。
【０１３７】
ステップＳ１０２において再生に関する情報が取得されたと判定されない場合には、本実施形態に係る再生制御装置は、例えば、ステップＳ１００からの処理を繰り返す。
【０１３８】
また、ステップＳ１０２において再生に関する情報が取得されたと判定された場合には、本実施形態に係る再生制御装置は、例えば、ステップＳ１００の処理により取得された再生に関する情報に含まれる再生条件情報が示す再生条件を満たしているか否かを判定する（Ｓ１０４）。
【０１３９】
ステップＳ１０４において再生条件を満たしていると判定されない場合には、本実施形態に係る再生制御装置は、ステップＳ１００の処理により取得された再生に関する情報に含まれるチャンネル識別情報が示すチャンネルに対応するコンテンツ信号を、再生させない（Ｓ１０６）。
【０１４０】
ステップＳ１０６においてコンテンツ信号を再生させない場合、本実施形態に係る再生制御装置は、コンテンツ信号が再生されない旨の通知を、ユーザに対して行わせてもよい。本実施形態に係る再生制御装置は、例えば、表示デバイスや、音声出力デバイスを制御することによって、文字や画像、音声によって、コンテンツ信号が再生されない旨の通知を、当該表示デバイスや当該音声出力デバイスに行わせる。ここで、上記表示デバイスや上記音声出力デバイスは、例えば、本実施形態に係る再生制御装置が備えていてもよいし、本実施形態に係る再生制御装置の外部のデバイスであってもよい。
【０１４１】
また、ステップＳ１０４において再生条件を満たしていると判定された場合には、本実施形態に係る再生制御装置は、例えば、再生アプリケーションが存在するか否かを判定する（Ｓ１０８）。
【０１４２】
ステップＳ１０８において再生アプリケーションが存在すると判定された場合には、本実施形態に係る再生制御装置は、後述するステップＳ１１６の処理を行う。
【０１４３】
また、ステップＳ１０８において再生アプリケーションが存在すると判定されない場合には、本実施形態に係る再生制御装置は、例えば通信デバイスを制御することによって、ステップＳ１００の処理により取得された再生に関する情報に含まれる取得先情報が示す取得先から、再生アプリケーションを取得する（Ｓ１１０）。そして、再生アプリケーションが取得されたか否かを判定する（Ｓ１１２）。
【０１４４】
ステップＳ１１２において再生アプリケーションが取得されたと判定されない場合には、本実施形態に係る再生制御装置は、例えば、表示デバイスや音声出力デバイスを制御することによって、“再生アプリケーションが取得できないことによりコンテンツ信号が再生されない”などを示すエラー通知を、ユーザに対して行う（Ｓ１１４）。
【０１４５】
また、ステップＳ１０８において再生アプリケーションが存在すると判定された場合、または、ステップＳ１１２において再生アプリケーションが取得されたと判定された場合には、本実施形態に係る再生制御装置は、ステップＳ１００の処理により取得された再生に関する情報に含まれるチャンネル識別情報が示すチャンネルに対応するコンテンツ信号を、再生させる（Ｓ１１６）。
【０１４６】
本実施形態に係る再生制御装置は、本実施形態に係る再生制御方法に係る処理として、例えば図２に示す処理を行う。例えば図２に示す処理が行われることによって、上記（１）の処理（取得制御処理）〜上記（３）の処理（再生制御処理）が実現される。よって、本実施形態に係る再生制御装置が、例えば図２に示す処理を行うことによって、所定のチャンネルにより放送されるコンテンツ信号の再生を制御することができる。
【０１４７】
なお、本実施形態に係る再生制御方法に係る処理が、図２に示す処理に限られないことは、言うまでもない。
【０１４８】
（本実施形態に係る再生制御装置）
次に、上述した本実施形態に係る再生制御方法に係る処理を行うことが可能な、本実施形態に係る再生制御装置の構成の一例について、説明する。
【０１４９】
図３は、本実施形態に係る再生制御装置１００の構成の一例を示すブロック図である。再生制御装置１００は、例えば、受信部１０２と、取得部１０４と、制御部１０６とを備える。
【０１５０】
また、再生制御装置１００は、例えば、ＲＯＭ（Read  Only  Memory。図示せず）や、ＲＡＭ（図示せず）、記憶部（図示せず）、ユーザが操作可能な操作部（図示せず）、様々な画面を表示画面に表示する表示部（図示せず）などを備えていてもよい。再生制御装置１００は、例えば、データの伝送路としてのバス（bus）により上記各構成要素間を接続する。
【０１５１】
ここで、ＲＯＭ（図示せず）は、制御部１０６が使用するプログラムや演算パラメータなどの制御用データを記憶する。ＲＡＭ（図示せず）は、制御部１０６により実行されるプログラムなどを一時的に記憶する。
【０１５２】
記憶部（図示せず）は、再生制御装置１００が備える記憶手段であり、例えば、オブジェクト識別情報や鍵情報などの本実施形態に係る再生制御方法に係る情報や、アプリケーションなど、様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、例えば、耐タンパ性を有する記録媒体であってもよく、また、再生制御装置１００から着脱可能であってもよい。
【０１５３】
操作部（図示せず）としては、後述する操作入力デバイスが挙げられる。また、表示部（図示せず）としては、後述する表示デバイスが挙げられる。
【０１５４】
［再生制御装置１００のハードウェア構成例］
図４は、本実施形態に係る再生制御装置１００のハードウェア構成の一例を示す説明図である。再生制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４と、信号受信デバイス１６６とを備える。また、再生制御装置１００は、例えば、データの伝送路としてのバス１６８で各構成要素間を接続する。
【０１５５】
ＭＰＵ１５０は、例えば、ＭＰＵなどのプロセッサや各種処理回路などで構成され、再生制御装置１００全体を制御する制御部１０６として機能する。また、ＭＰＵ１５０は、再生制御装置１００において、例えば、後述する取得制御部１１０、判定部１１２、および再生制御部１１４の役目を果たす。
【０１５６】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１５７】
記録媒体１５６は、記憶部（図示せず）として機能し、例えば、オブジェクト識別情報や鍵情報などの本実施形態に係る再生制御方法に係る情報や、アプリケーションなど、様々なデータを記憶する。ここで、記録媒体１５６としては、例えば、ハードディスクなどの磁気記録媒体や、フラッシュメモリなどの不揮発性メモリが挙げられる。また、記録媒体１５６は、例えば、耐タンパ性を有する記録媒体であってもよく、また、再生制御装置１００から着脱可能であってもよい。
【０１５８】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。また、操作入力デバイス１６０は、例えば、再生制御装置１００上に備えられ、再生制御装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。また、表示デバイス１６２は、例えば、再生制御装置１００上に備えられ、再生制御装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。
【０１５９】
なお、入出力インタフェース１５８が、再生制御装置１００の外部装置としての操作入力デバイス（例えば、キーボードやマウスなど）や表示デバイスなどの、外部デバイスと接続することも可能であることは、言うまでもない。また、表示デバイス１６２は、例えばタッチスクリーンなど、表示とユーザ操作とが可能なデバイスであってもよい。
【０１６０】
通信インタフェース１６４は、再生制御装置１００が備える通信手段である。通信インタフェース１６４は、例えば本実施形態に係る外部オブジェクトと通信を行うことによって本実施形態に係る再生に関する情報を取得する、取得部１０４として機能する。つまり、通信インタフェース１６４は、上述した本実施形態に係る取得デバイスの一例に該当する。
【０１６１】
ここで、取得部１０４として機能する場合における通信インタフェース１６４としては、例えば、ＮＦＣにおける質問器の役目を果たす送受信回路（例えば、リーダ／ライタとして機能する送受信回路）や、ＮＦＣにおける応答器の役目を果たす送受信回路（例えば、ＩＣチップなど）など、ＮＦＣに係る通信デバイスが挙げられる。また、通信インタフェース１６４がＮＦＣに係る通信デバイスである場合、通信インタフェース１６４は、例えば、アンテナを備え、備えているアンテナを介して通信を行う構成であってもよいし、外部のアンテナに接続され、外部のアンテナを介して通信を行う構成であってもよい。
【０１６２】
なお、取得部１０４として機能する場合における通信インタフェース１６４は、ＮＦＣに係る通信デバイスに限られない。例えば、通信インタフェース１６４は、モデムなどの音声周波数帯域の信号による通信を行う通信デバイスや、可視光や赤外線などの光により通信を行う光通信デバイスなど、通信可能範囲がコンテンツ信号が放送される領域以下である任意の通信方式の通信デバイスであってもよい。
【０１６３】
また、通信インタフェース１６４は、例えば、通信方式が同一の、または、通信方式が異なる複数の通信インタフェースを備えることも可能である。複数の通信インタフェースを備える場合、通信インタフェース１６４は、例えば、１つのＩＣ（Integrated  Circuit）で構成されていてもよいし、複数のＩＣで構成されていてもよい。また、複数の通信インタフェースを備える場合、通信インタフェース１６４は、例えば、アンテナを備える構成であってもよいし、外部のアンテナに接続される構成であってもよい。
【０１６４】
さらに、通信インタフェース１６４は、例えば、ネットワークを介して（あるいは、直接的に）、サーバなどの外部装置と、無線または有線で通信を行うための通信部（図示せず）として機能してもよい。
【０１６５】
通信部（図示せず）として機能する場合における通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）など、外部装置と通信することが可能な様々な通信デバイスが挙げられる。また、本実施形態に係るネットワークとしては、例えば、ＬＡＮやＷＡＮ（Wide  Area  Network）などの有線ネットワーク、無線ＬＡＮ（ＷＬＡＮ：Wireless  Local  Area  Network）や基地局を介した無線ＷＡＮ（ＷＷＡＮ：Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１６６】
なお、上記では、取得部１０４として機能する場合における通信インタフェース１６４と、通信部（図示せず）として機能する場合における通信インタフェース１６４とを分けて説明したが、再生制御装置１００において取得部１０４と通信部（図示せず）とは、例えば、同一の機能ブロックであってもよいし、異なる機能ブロックであってもよい。また、再生制御装置１００において取得部１０４と通信部（図示せず）とが異なる機能ブロックである場合、取得部１０４と通信部（図示せず）とは、例えば、１つのＩＣで構成されていてもよいし、複数のＩＣで構成されていてもよい。
【０１６７】
信号受信デバイス１６６は、放送される信号を受信する受信部１０２として機能する。信号受信デバイス１６６としては、例えば、アンテナと電気的に接続されているチューナが挙げられる。また、信号受信デバイス１６６は、上記アンテナを含んでいてもよい。
【０１６８】
再生制御装置１００は、例えば図４に示す構成によって、本実施形態に係る再生制御方法に係る処理を行う。なお、本実施形態に係る再生制御装置１００のハードウェア構成は、図４に示す構成に限られない。
【０１６９】
例えば、再生制御装置１００は、画像（動画像または静止画像）を撮像する撮像デバイスを備えていてもよい。撮像デバイスを備える場合、当該撮像デバイスは、例えば、本実施形態に係る外部オブジェクトを撮像することによって本実施形態に係る再生に関する情報を取得する、取得部１０４として機能する。つまり、撮像デバイスを備える場合、当該撮像デバイスは、上記本実施形態に係る取得デバイスの一例に該当する。
【０１７０】
ここで、本実施形態に係る撮像デバイスとしては、例えば、レンズ／撮像素子と信号処理回路とが挙げられる。レンズ／撮像素子は、例えば、光学系のレンズと、ＣＭＯＳ（Complementary  Metal  Oxide  Semiconductor）などの撮像素子を複数用いたイメージセンサとで構成される。信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換する。また、信号処理回路は、例えば、Ｗｈｉｔｅ  Ｂａｌａｎｃｅ補正処理や、色調補正処理、ガンマ補正処理、ＹＣｂＣｒ変換処理、エッジ強調処理など各種信号処理を行ってもよい。
【０１７１】
また、再生制御装置１００は、例えば、位置検出デバイスをさらに備えていてもよい。位置検出デバイスとしては、例えば、ＧＰＳデバイスや、基地局やアクセスポイントとの無線通信などを利用して位置を特定することが可能なデバイスなど、位置を特定することが可能な任意のデバイスが挙げられる。
【０１７２】
また、再生制御装置１００は、例えば、外部の通信インタフェースを介して本実施形態に係る外部オブジェクトと通信を行うことによって、本実施形態に係る再生に関する情報を取得する構成である場合には、通信インタフェース１６４を備えていなくてもよい。
【０１７３】
また、再生制御装置１００は、例えば、外部の信号受信デバイスを介して放送される信号を受信する場合には、信号受信デバイス１６６を備えていなくてもよい。
【０１７４】
さらに、再生制御装置１００は、記憶媒体１５６や、操作デバイス１６０、表示デバイス１６２を備えない構成をとることも可能である。
【０１７５】
再度図３を参照して、再生制御装置１００の構成の一例について説明する。受信部１０２は、放送される信号を受信する。受信部１０２における信号の受信は、例えば、制御部１０６により制御される。ここで、受信部１０２としては、例えば、信号受信デバイスが挙げられる。
【０１７６】
取得部１０４は、本実施形態に係る再生に関する情報を、外部オブジェクトから取得する。取得部１０４における、外部オブジェクトからの本実施形態に係る再生に関する情報の取得は、例えば、制御部１０６（より具体的には、例えば、後述する取得制御部１１０）により制御される。ここで、取得部１０４としては、例えば、外部オブジェクトと通信を行うことが可能な通信デバイス（例えば通信インタフェース１６４）や、外部オブジェクトを撮像する撮像デバイスなどの取得デバイスが挙げられる。
【０１７７】
制御部１０６は、例えばＭＰＵなどで構成され、再生制御装置１００全体を制御する役目を果たす。また、制御部１０６は、例えば、取得制御部１１０、判定部１１２、および再生制御部１１４を備え、本実施形態に係る再生制御方法に係る処理を主導的に行う役目を果たす。
【０１７８】
取得制御部１１０は、上記（１）の処理（取得制御処理）を主導的に行う役目を果たし、本実施形態に係るコンテンツ信号の再生に関する情報を、外部オブジェクトから取得させる。取得制御部１１０は、例えば、取得部１０４を構成する取得デバイス、または、取得部１０４に対応する機能を有する外部の取得デバイスを制御することによって、本実施形態に係るコンテンツ信号の再生に関する情報を、外部オブジェクトから取得する。
【０１７９】
判定部１１２は、上記（２）の処理（判定処理）を主導的に行う役目を果たし、取得されたコンテンツ信号の再生に関する情報に含まれる、本実施形態に係る再生条件情報が示す再生条件を満たすかを判定する。
【０１８０】
より具体的には、判定部１１２は、例えば、上記（２−１）に示す第１の例に係る判定処理〜上記（２−１０）に示す他の例に係る判定処理を行う。
【０１８１】
再生制御部１１４は、上記（３）の処理（再生制御処理）を主導的に行う役目を果たす。再生制御部１１４は、判定部１１２において再生条件を満たすと判定された場合に、取得されたコンテンツ信号の再生に関する情報に含まれる、本実施形態に係るチャンネル識別情報が示すチャンネルにより受信されたコンテンツ信号を、取得されたコンテンツ信号の再生に関する情報に含まれる、本実施形態に係る鍵情報を用いて復号して再生させる。
【０１８２】
また、再生制御部１１４は、上記（３）の処理（再生制御処理）として、例えば、上記（３−１）に示す第１の例に係る再生制御処理〜上記（３−４）に示す第４の例に係る再生制御処理を行うことも可能である。
【０１８３】
制御部１０６は、例えば、取得制御部１１０、判定部１１２、および再生制御部１１４を備えることによって、本実施形態に係る再生制御方法に係る処理を主導的に行う。
【０１８４】
再生制御装置１００は、例えば図３に示す構成によって、本実施形態に係る再生制御方法に係る処理（例えば、上記（１）の処理（取得制御処理）〜上記（３）の処理（再生制御処理））を行う。
【０１８５】
したがって、再生制御装置１００は、例えば図３に示す構成によって、所定のチャンネルにより放送されるコンテンツ信号の再生を制御することができる。
【０１８６】
また、本実施形態に係る再生制御方法に係る処理が行われることによって、再生制御装置１００では、上記（１）の処理（取得制御処理）において取得された再生条件情報が示す再生条件に基づいて、所定のチャンネルにより送信されるコンテンツ信号の再生が制御される。よって、再生制御装置１００が本実施形態に係る再生制御方法に係る処理を行うことによって、取得された再生条件情報が示す再生条件を満たす装置（例えば、特定の場所に存在する装置や、特定のユーザに対応する装置など）に、選択的に所定のチャンネルにより送信されるコンテンツ信号を再生させることが、実現される。
【０１８７】
また、本実施形態に係る再生制御装置は、上記（１）の処理（取得制御処理）において取得されたチャンネル識別情報が示すチャンネル（所定のチャンネル）により受信されたコンテンツ信号を、上記（１）の処理（取得制御処理）において取得された鍵情報を用いて復号して再生させる。よって、本実施形態に係る再生制御装置は、例えば、本実施形態に係る再生制御装置においてプリセットされていないチャンネルにより放送されるコンテンツ信号であっても、再生させることができる。
【０１８８】
また、再生制御装置１００は、例えば図３に示す構成によって、ユーザの利便性の向上など、上述した本実施形態に係る再生制御方法に係る処理が行われることにより奏される効果を奏することができる。
【０１８９】
なお、本実施形態に係る再生制御装置の構成は、図３に示す構成に限られない。
【０１９０】
例えば、本実施形態に係る再生制御装置は、図３に示す取得制御部１１０、判定部１１２、および再生制御部１１４のうちの、１または２以上を、制御部１０６とは個別に備える（例えば、個別の処理回路で実現する）ことができる。
【０１９１】
また、例えば、受信部１０２と同様の機能、構成を有する外部の信号受信デバイスを介して放送される信号を受信する場合には、本実施形態に係る再生制御装置は、受信部１０２を備えていなくてもよい。
【０１９２】
また、例えば、取得部１０４と同様の機能、構成を有する外部の取得デバイスを制御することによって、本実施形態に係る再生に関する情報を取得する構成である場合には、本実施形態に係る再生制御装置は、取得部１０４を備えていなくてもよい。
【０１９３】
また、本実施形態に係る再生制御装置は、例えば、再生制御装置１００の位置を特定する（または位置を推定する）位置特定部（図示せず）をさらに備えていてもよい。位置特定部（図示せず）を備える場合、本実施形態に係る再生制御装置では、位置特定部（図示せず）において特定された（または推定された）位置を利用して、（２）の処理（判定処理）を行うことが可能となる。ここで、位置特定部（図示せず）としては、例えば、ＧＰＳデバイスや、基地局やアクセスポイントとの無線通信などを利用して位置を特定することが可能なデバイスなどの、位置検出デバイスが挙げられる。
【０１９４】
以上、本実施形態として、再生制御装置を挙げて説明したが、本実施形態は、かかる形態に限られない。本実施形態は、例えば、タブレット型の装置や、携帯電話やスマートフォンなどの通信装置、映像／音楽再生装置（または映像／音楽記録再生装置）、ゲーム機、ＰＣ（Personal  Computer）などのコンピュータなど、様々な機器に適用することができる。また、本実施形態は、例えば、上記のような機器に組み込むことが可能な、処理ＩＣに適用することもできる。
【０１９５】
また、本実施形態として、外部オブジェクトを挙げて説明したが、本実施形態は、かかる形態に限られない。本実施形態は、例えば、“本実施形態に係る再生制御装置との間で、ＮＦＣによる通信技術やＲＦＩＤ技術などの無線通信技術を用いた無線通信を行うことが可能なデバイス（例えば、ＲＦタグ（応答器）や、ＩＣカード（応答器）、リーダ／ライタ（質問器）など）”や、“通信可能範囲がコンテンツ信号が放送される領域以下である任意の通信方式によって、本実施形態に係る再生制御装置との間で通信を行うことが可能なデバイス”など、本実施形態に係る再生制御装置との間で通信を行うことが可能な様々なデバイスに適用することができる。また、本実施形態は、例えば、マトリックス型二次元コードなどの二次元コードや、三次元コードなどの様々なコードに適用することも可能である。
【０１９６】
また、本実施形態として、放送送信局を挙げて説明したが、本実施形態は、かかる形態に限られない。本実施形態は、例えば、図１において符号５０に示すような信号を無線で送信する送信装置およびアンテナや、信号を有線で送信する送信装置など、信号を放送することが可能な、様々な構成の装置やシステムに適用することができる。
【０１９７】
（本実施形態に係るプログラム）
コンピュータを、本実施形態に係る再生制御装置として機能させるためのプログラム（例えば、上記（１）の処理（取得制御処理）〜上記（３）の処理（再生制御処理）など、本実施形態に係る再生制御方法に係る処理を実行することが可能なプログラム）が、コンピュータにおいてプロセッサなどにより実行されることによって、所定のチャンネルにより放送されるコンテンツ信号の再生を制御することができる。
【０１９８】
また、コンピュータを、本実施形態に係る再生制御装置として機能させるためのプログラムが、コンピュータにおいてプロセッサなどにより実行されることによって、上述した本実施形態に係る再生制御方法に係る処理によって奏される効果を奏することができる。
【０１９９】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２００】
例えば、上記では、コンピュータを、本実施形態に係る再生制御装置として機能させるためのプログラム（コンピュータプログラム）が提供されることを示したが、本実施形態は、さらに、上記プログラムを記憶させた記録媒体も併せて提供することができる。
【０２０１】
上述した構成は、本実施形態の一例を示すものであり、当然に、本開示の技術的範囲に属するものである。
【０２０２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０３】
なお、以下のような構成も本開示の技術的範囲に属する。
（１）
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させる取得制御部と、
取得された前記再生条件情報が示す再生条件を満たすかを判定する判定部と、
前記再生条件を満たすと判定された場合に、取得された前記チャンネル識別情報が示すチャンネルにより受信された前記コンテンツ信号を、取得された前記鍵情報を用いて復号して再生させる再生制御部と、
を備える、再生制御装置。
（２）
前記再生条件は、前記チャンネル識別情報が示すチャンネルにより放送される信号の受信状態に関する条件を含み、
前記判定部は、前記チャンネル識別情報が示すチャンネルにより放送される信号の受信状態に基づいて前記受信状態に関する条件を満たすか否かを判定し、前記受信状態に関する条件の判定結果に基づいて前記再生条件を満たすかを判定する、（１）に記載の再生制御装置。
（３）
前記判定部は、
前記チャンネル識別情報が示すチャンネルにより放送される信号が受信されている場合に、前記受信状態に関する条件を満たすと判定し、
前記チャンネル識別情報が示すチャンネルにより放送される信号が受信されない場合には、前記受信状態に関する条件を満たさないと判定する、（２）に記載の再生制御装置。
（４）
前記判定部は、前記受信状態に関する条件を満たすと判定した後に、前記受信状態に関する条件を満たさないと判定した場合には、
満たさないと判定した判定に用いた前記再生条件情報が示す再生条件による、新たな判定を行わず、
前記再生条件情報が新たに取得されたときに、新たに取得された前記再生条件情報が示す再生条件を満たすかを判定する、（３）に記載の再生制御装置。
（５）
前記再生に関する情報には、前記外部オブジェクトを一意に示すオブジェクト識別情報がさらに含まれ、
前記取得制御部は、取得されたオブジェクト識別情報を、記録媒体に記憶させ、
前記再生条件は、複数の前記オブジェクト識別情報の組み合わせに関する条件を含み、
前記判定部は、取得された前記オブジェクト識別情報と、前記記録媒体に記憶されている前記オブジェクト識別情報とに基づいて前記組み合わせに関する条件を満たすか否かを判定し、前記組み合わせに関する条件の判定結果に基づいて前記再生条件を満たすかを判定する、（１）〜（４）のいずれか１つに記載の再生制御装置。
（６）
前記再生条件は、前記チャンネル識別情報が示すチャンネルにより放送されるコンテンツ信号の再生が許可される期間に関する条件を含み、
前記判定部は、前記再生が許可される期間に関する条件を満たすか否かを判定し、前記再生が許可される期間に関する条件の判定結果に基づいて前記再生条件を満たすかを判定する、（１）〜（５）のいずれか１つに記載の再生制御装置。
（７）
前記再生条件は、前記鍵情報の使用が許可される前記鍵情報の有効期間に関する条件を含み、
前記判定部は、前記鍵情報の有効期間に関する条件を満たすか否かを判定し、前記鍵情報の有効期間に関する条件の判定結果に基づいて前記再生条件を満たすかを判定する、（１）〜（６）のいずれか１つに記載の再生制御装置。
（８）
前記判定部は、前記鍵情報の有効期間に関する条件を満たさないと判定した場合、前記鍵情報を削除する、（７）に記載の再生制御装置。
（９）
前記再生条件は、前記チャンネル識別情報が示すチャンネルにより放送されるコンテンツ信号の再生が許可される位置に関する条件を含み、
前記判定部は、前記位置に関する条件を満たすか否かを判定し、前記位置に関する条件の判定結果に基づいて前記再生条件を満たすかを判定する、（１）〜（８）のいずれか１つに記載の再生制御装置。
（１０）
前記再生条件は、前記チャンネル識別情報が示すチャンネルにより放送されるコンテンツ信号の再生が許可される再生回数に関する条件を含み、
前記判定部は、前記コンテンツ信号が再生された回数が前記再生回数に関する条件を満たすか否かを判定し、前記再生回数に関する条件の判定結果に基づいて前記再生条件を満たすかを判定する、（１）〜（９）のいずれか１つに記載の再生制御装置。
（１１）
前記再生条件は、前記鍵情報の使用が許可される前記鍵情報の有効回数に関する条件を含み、
前記判定部は、前記鍵情報の使用回数が前記鍵情報の有効回数に関する条件を満たすか否かを判定し、前記鍵情報の有効回数に関する条件の判定結果に基づいて前記再生条件を満たすかを判定する、（１）〜（１０）のいずれか１つに記載の再生制御装置。
（１２）
前記判定部は、前記鍵情報の有効回数に関する条件を満たさないと判定した場合、前記鍵情報を削除する、（１１）に記載の再生制御装置。
（１３）
前記再生条件は、前記チャンネル識別情報が示すチャンネルにより放送されるコンテンツ信号の再生が許可されるユーザに関する条件を含み、
前記判定部は、前記再生制御装置と前記再生制御装置のユーザとのうちの少なくとも一方を示すユーザ識別情報に基づいて、前記ユーザに関する条件を満たすか否かを判定し、前記ユーザに関する条件の判定結果に基づいて前記再生条件を満たすかを判定する、（１）〜（１２）のいずれか１つに記載の再生制御装置。
（１４）
前記再生制御部は、
前記再生制御装置と前記再生制御装置のユーザとのうちの少なくとも一方を示すユーザ識別情報に基づいて、取得された前記チャンネル識別情報が示すチャンネルにより受信された前記コンテンツ信号の再生の仕方を設定し、
設定された再生の仕方によって、前記コンテンツ信号を再生させる、（１）〜（１３）のいずれか１つに記載の再生制御装置。
（１５）
前記チャンネル識別情報が示すチャンネルにより放送されるコンテンツ信号は、前記再生に関する情報に含まれる第１の鍵情報と、前記第１の鍵情報とは異なる第２の鍵情報とに対応して暗号化され、
前記再生制御部は、取得された前記チャンネル識別情報が示すチャンネルにより受信された前記コンテンツ信号を、取得された前記第１の鍵情報と、記録媒体に記憶されている前記第２の鍵情報とを用いて復号して再生させる、（１）〜（１４）のいずれか１つに記載の再生制御装置。
（１６）
前記第２の鍵情報は、前記記録媒体に予め記憶されている鍵情報、または、前記外部オブジェクトとは異なる外部装置から取得されて前記記録媒体に記録された鍵情報である、（１５）に記載の再生制御装置。
（１７）
前記再生に関する情報には、前記チャンネル識別情報が示すチャンネルにより放送される前記コンテンツ信号の再生に用いることが可能な再生アプリケーションの取得先を示す取得先情報が、さらに含まれ、
前記再生制御部は、
受信された前記コンテンツ信号の再生を行うことが可能なアプリケーションが存在しない場合には、前記取得先情報が示す取得先から前記再生アプリケーションを取得させ、
取得された前記再生アプリケーションを用いて、受信された前記コンテンツ信号を再生させる、（１）〜（１６）のいずれか１つに記載の再生制御装置。
（１８）
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させるステップと、
取得された前記再生条件情報が示す再生条件を満たすかを判定するステップと、
前記再生条件を満たすと判定された場合に、取得された前記チャンネル識別情報が示すチャンネルにより受信された前記コンテンツ信号を、取得された前記鍵情報を用いて復号して再生させるステップと、
を有する、再生制御装置により実行される再生制御方法。
（１９）
暗号化されたコンテンツ信号が放送されるチャンネルを示すチャンネル識別情報と、前記コンテンツ信号を再生するための条件である再生条件を示す再生条件情報と、前記コンテンツ信号を復号するための鍵情報とを含む、コンテンツ信号の再生に関する情報を、外部オブジェクトから取得させるステップ、
取得された前記再生条件情報が示す再生条件を満たすかを判定するステップ、
前記再生条件を満たすと判定された場合に、取得された前記チャンネル識別情報が示すチャンネルにより受信された前記コンテンツ信号を、取得された前記鍵情報を用いて復号して再生させるステップ、
をコンピュータに実行させるためのプログラム。
【符号の説明】
【０２０４】
１０、２０    外部オブジェクト
５０    放送送信局
１００    再生制御装置
１０２    受信部
１０４    取得部
１０６    制御部
１１０    取得制御部
１１２    判定部
１１４    再生制御部
【図１】
0006465023.tif 000002
【図２】
0006465023.tif 000003
【図３】
0006465023.tif 000004
【図４】
0006465023.tif 000005